(57)【要約】【課題】  食器の種類・大きさ、および洗浄後の食器の置き方等に関わらず、足部内側の水切りを適切に実施可能な食器を提供することを課題とする。【解決手段】  本発明は、底面１１ａの外側部に足部１０を備えた食器１であって、前記足部１０が、それぞれ独立した複数の単位足部１２を用いて構成され、前記単位足部１２間には空隙部１３が設けられており、前記単位足部１２の内側辺１２ｂが、直線状に構成されていることを特徴としている。【選択図】  図１
2006346138.tif 000002
【特許請求の範囲】
【請求項１】
底面の外側部に足部を備えた水抜けの良い食器であって、
前記足部が、それぞれ独立した複数の単位足部を用いて構成され、前記単位足部間には空隙部が設けられており、
前記単位足部の内側辺が、直線状あるいは内側に向かって凸状に湾曲している
ことを特徴とする水抜けの良い食器。
【請求項２】
前記足部が設けられている前記底面の厚みが、略均一である
請求項１に記載の水抜けの良い食器。
【請求項３】
前記足部が設けられている前記底面が、平面状あるいは外側に向かって凸状に湾曲している
請求項１または２に記載の水抜けの良い食器。
【請求項４】
前記単位足部の内側辺の延長線によって、多角形が構成される
請求項１から３のいずれか１項に記載の水抜けの良い食器。
【請求項５】
前記単位足部の形状が、円形あるいは楕円形である
請求項１から３のいずれか１項に記載の水抜けの良い食器。
【請求項６】
陶磁器である請求項１から５のいずれか１項に記載の水抜けの良い食器。
【発明の詳細な説明】
【技術分野】
【０００１】
本発明は、食器に関し、詳しくは、一般的に高台あるいは糸底と呼ばれる食器底面部に設けられた「足部」に特徴を有する水抜けの良い食器に関するものである。
【背景技術】
【０００２】
従来、食器には、安定性や熱さを防ぐ等の理由から、食器の底面部に高台もしくは糸底と呼ばれる「足部」が設けられている。通常、この「足部」は、５ｍｍ程度の厚みを有する同心円状に構成されている。
【０００３】
ところで、近年は、自動的に食器の洗浄処理および乾燥処理を行う、いわゆる「食器洗浄乾燥機」が、飲食店のみならず一般の家庭にも普及してきている。
【０００４】
食器洗浄乾燥機を用いて食器の洗浄処理および乾燥処理を行う場合、食器洗浄乾燥機の洗浄機能および内部構成によって、食器の配置可能位置が定まる。例えば、湯飲みやカップ類は伏せた状態で、碗類は横にした状態で、また、薄手の平皿等の皿類は垂直に立てた状態あるいは若干傾斜させた状態で配置するのが一般的である。
【０００５】
上述したように、食器の底面部には通常「足部」が設けられているため、かかる食器を食器洗浄乾燥機内に入れて、洗浄処理および乾燥処理を施した場合には、その「足部」の内側に水がたまりやすいという問題が生ずる。特に、食器洗浄乾燥機内に伏せた状態で入れる必要がある湯飲み等の食器については、この水がたまりやすいという問題が顕著にあらわれる。
【０００６】
また、食器洗浄乾燥機を用いない場合であっても、食器は、洗浄した後に水切りのためにカゴ等に伏せた状態で配置するのが一般的であり、そのような場合には、食器の内面側の水切りは良好であっても、上方に位置することになる食器底面の「足部」内側には水が残留しやすくなる。このように、「足部」内側に水が残留する場合には、一つ一つの食器の「足部」内部の水を拭き取る作業が必要となり、食器を多量に扱う飲食店等においては、この作業に多くの時間と労力を費やさなければならないという問題が生ずる。
【０００７】
以上のような問題点に鑑み、従来から種々の提案がなされている。
【０００８】
例えば、特許文献１においては、洗浄後における水切り対策として、食器本体外側の底面部から足部にかけて傾斜面を有する構成（底面の厚みが変化する構成）が開示されている。
【０００９】
しかしながら、この特許文献１に示すような構成においては、傾斜面を構成するための余肉増加が食器の重量増加を招いてしまう。陶磁器においては、重量の増加や食器本体の厚みの変化（不均一さ）等から、食器内面へのへこみや歪みが生じやすくなるため、この特許文献１の構成は、陶磁器等には採用できないという問題がある。
また、このような構成においては、足部の断熱性が大幅に低下する。
さらに、この構成は、接地面（いわゆる「足部」の接地形状）が鋭角的に狭い上に、「足部」を構成する各部位（特許文献１における「糸底」）の間隔が広いため、食器全体において歪みを引き起こしやすいという問題がある。
加えて、特許文献１にかかる構成においては、食器本体外側の底面部が傾斜面を有し、食器を伏せた状態においては、その底面部に（食器を伏せた状態における上方位置に）「凹み部」が形成されることとなる。したがって、特許文献１の構成によれば、食器を伏せた状態においては、従来からの「足部の内側に水がたまりやすい」という問題を解決することはできない。
【００１０】
また、他の例として、特許文献２および特許文献３に示すように、洗浄後における水切り対策として、足部（特許文献２における「糸敷部」、特許文献３における「高台部」）に複数の「欠除部」（特許文献２参照）あるいは「水抜き穴」（特許文献３参照）（以下、これらを総称して「水抜き部」という。）を設ける構成が開示されている。
【００１１】
しかしながら、これらの構成においては、水抜き部と水抜き部との間の部分（いわゆる「足部」の構成要素）の内側が凹状（食器底面の中央部に対して凹状）に湾曲した形状となっている。したがって、食器の種類・大きさ、足部の高さ、水抜き部の間隔等によって、足部内面に洗浄後の水が残ることがある。つまり、この特許文献２および特許文献３においても、従来からの「足部の内側に水がたまりやすい」という問題を抜本的に解決することはできない。
【００１２】
【特許文献１】実公平３−３２２８８号公報
【特許文献２】実開平５−３９３７３号公報
【特許文献３】特開２０００−１３９６６０号公報
【発明の開示】
【発明が解決しようとする課題】
【００１３】
そこで、本発明は、上記従来技術の問題を解決するためになされたものであって、食器の種類・大きさ、および洗浄後の食器の置き方等に関わらず、足部内側の水切りを適切に実施可能な食器を提供することを課題とする。
また、本発明は、食器の種類・大きさ、および洗浄後の食器の置き方等に関わらず、足部内側の水切りを適切に実施可能であると共に、陶磁器に採用可能な食器を提供することを課題とする。つまり、成形や焼成による凹みや歪みを起こしにくい形状を有する、足部内側の水切りを適切に実施可能な、食器を提供することを課題とする。
【課題を解決するための手段】
【００１４】
本発明は、上記課題を解決するためになされたもので、底面の外側部に足部を備えた食器であって、前記足部が、それぞれ独立した複数の単位足部を用いて構成され、前記単位足部間には空隙部が設けられており、前記単位足部の内側辺が、直線状あるいは内側に向かって凸状に湾曲していることを特徴としている。
【００１５】
このように構成された食器であれば、食器の種類・大きさ、および洗浄後の食器の置き方等に関わらず、足部内側の水切りを適切に実施することができる。より具体的には、前記足部は独立した複数の単位足部を用いて構成され、前記単位足部の内側辺が直線状あるいは内側に向かって凸状に湾曲しているため、洗浄後の食器をどのような方向に置いたとしても、足部内側の水は、前記単位足部の内側辺に沿って流れ、前記単位足部間に設けられた空隙部から排出されることとなる。
【００１６】
また、本発明にかかる食器は、前記足部が設けられている前記底面の厚みが、略均一である構成が好ましい。
【００１７】
この好ましい構成によれば、前記食器の底面が略均一の厚さに構成されているため、陶磁器として適切に採用可能となる。つまり、特許文献１のように厚さに変化がなく、余肉増加もないため、重量の増加や食器本体の厚みの変化が殆どなく、成形、焼成においても、食器のへこみや歪みが生じにくい。
【００１８】
また、本発明にかかる食器は、前記足部が設けられている前記底面が、平面状あるいは外側に向かって凸状に湾曲している構成であることが好ましい。
【００１９】
この好ましい構成によれば、前記食器の底面が平面状あるいは外側に向かって凸状に湾曲しているため、洗浄後の前記食器を伏せた状態で置いた場合であっても、上方に位置する前記底面から前記単位足部間の前記空隙部を介して、足部内側の水は適切に排出されることとなる。
【００２０】
また、本発明にかかる食器は、前記単位足部の内側辺の延長線によって、多角形が構成されることが好ましい。
【００２１】
この好ましい構成によれば、前記足部の内側が全体として「多角形」となるため、食器の種類や大きさによって、三角形、四角形、五角形等を自由に選択可能となる。また、この際に前記足部を構成する前記単位足部の大きさおよび形状を同一とすれば、食器全体（複数の食器から成る食器セット）としてのデザイン上の統一を図ることができる。さらに、前記足部内側が多角形を構成するため、前記足部内側の水は多角形を構成する各内側辺に沿って効果的に前記足部外に排出されることとなる。
【００２２】
また、本発明にかかる食器は、前記単位足部の形状が、円形あるいは楕円形である構成が好ましい。
【００２３】
この好ましい構成によれば、前記単位足部の全ては、前記単位足部の内側辺が内側に向かって凸状に湾曲した構成となる。したがって、この好ましい構成によれば、洗浄後の食器をどのような方向に置いたとしても、足部内側の水は、前記単位足部間に設けられた空隙部から排出されることとなる。すなわち、前記単位足部の形状を円形あるいは楕円形とすれば、本発明の趣旨に即した、食器の種類・大きさ、および洗浄後の食器の置き方等に関わらず、足部内側の水切りを適切に実施可能な食器を得ることができる。
【００２４】
また、本発明にかかる食器は、陶磁器である構成が好ましい。
【００２５】
この好ましい構成によれば、後加工の必要がなく、簡単な工程（例えば、ローラーマシンによる内鏝成形等）によって成形可能である。したがって、安価に反復生産を行うことができる。また、成形のための石膏型作成において、前記単位足部の幅を広くとることによって型抜けを良くし、石膏型作製をスムースに行うことができる。さらに、素地成形においても、スムースに脱型できる。
【発明の効果】
【００２６】
本発明によれば、食器の種類・大きさ、および洗浄後の食器の置き方等に関わらず、足部内側の水切りを適切に実施可能な食器を得ることができる。
また、本発明によれば、食器の種類・大きさ、および洗浄後の食器の置き方等に関わらず、足部内側の水切りを適切に実施可能であると共に、陶磁器に採用可能な食器を得ることができる。
【発明を実施するための最良の形態】
【００２７】
以下、図面に基づいて、本発明の実施形態について説明する。
【００２８】
＜第一実施形態＞
図１は、本発明の第一実施形態にかかる食器を伏せた状態の概略斜視図を示したものである。また、図２は、本実施形態にかかる食器を伏せた状態の上面図を示したものである。さらに、図３は、図２のIII−III線に沿う概略断面図を示したものである。
【００２９】
これらの図に示すように、本実施形態にかかる食器１は、本体１１と、この本体１１底面１１ａの外側部に設けられた足部１０とを用いて構成されている。ここで、足部１０とは、一般的に高台あるいは糸底と呼ばれるものであって、安定性や熱さを防ぐ等の理由から設けられている。この図１においては、食器１が伏せた状態で置かれた状態が示されているので、図１における食器１の上方位置が、食器１の底面１１ａ外側部である。
【００３０】
本実施形態にかかる食器１は、これらの図に示すように、本体１１底面１１ａの外側部に足部１０を備えており、この足部１０は、それぞれ所定の間隔（空隙部１３）を有して独立した複数の単位足部１２を用いて構成されている。本実施形態においては、四つの単位足部１２を用いて足部１０が構成されている。また、これらの各単位足部１２間には、空隙部１３が設けられている。
【００３１】
それぞれの単位足部１２は、図１〜図３に示すように、上面部１２ａ、内側辺１２ｂ、外側辺１２ｃ、および下面部１２ｄから成り、本実施形態においては、内側辺１２ｂが直線状に形成され、外側辺１２ｃが本体１１底面１１ａの中心部から外側に凸状に湾曲して形成されている。
【００３２】
また、本実施形態においては、各単位足部１２の最大幅は５〜１０ｍｍ程度（好ましくは７ｍｍ程度）に構成されている。これは、本実施形態にかかる食器１を陶磁器として構成する場合には、成形、焼成において収縮しやすく、この際の変形や素地の厚みによるへこみ等（食器１の本体１１内面に対するへこみ等）を防止するためには、上述した寸法が適当であるからである。各単位足部１２の最大幅を７ｍｍ程度とすれば、成形、焼成上も問題なく、型への陶土の着肉および型からの抜けもよく、食器１の反復生産を安定的に実施することが可能となる。また、このような構成（幅寸法）によれば、焼成品は安定して接地し、従来から使用されている一般的な食器等と同様に、違和感なく日用に供することができる。
【００３３】
さらに、足部１０を構成する各単位足部１２は、成形において無理なく型離れ可能な高さとして、足部１０および食器１全体として歪みを抑える構造とすることが好ましい。この際の高さとしては、例えば、５ｍｍ〜１０ｍｍ程度であることが好ましい。
【００３４】
なお、この「高さ」と先述した「最大幅」とは、共に食器１全体の大きさによって変化するものであり、本実施形態においては、食器１底面１１ａの足部設置可能領域の大きさが、碗等の中程度の場合（４０ｍｍ〜５５ｍｍ程度）を想定して、上記好ましい値を例示している。すなわち、本発明においては、食器１の大きさに応じて、この好ましい「高さ」と「最大幅」は適宜変更可能である。
【００３５】
また、本実施形態にかかる足部１０は、それぞれの単位足部１２の内側辺１２ｂの延長線によって、足部１０の内側に四角形が形成されるべく構成されている。つまり、足部１０の全体としては、この四角形の各頂点部分が切り離されて空隙部１３が構成され、切り離されたそれぞれの部位によって単位足部１２が構成されている。さらに、各単位足部１２は、それぞれ食器１底面１１ａに接し、空隙部１３は食器１底面１１ａ上方に構成されている。
【００３６】
このように構成された足部１０を有する食器１によれば、洗浄後の食器をどのような状態に配置しても（伏せても、横にしても、斜めに立てても、垂直に立てても）、足部１０内部から水を完全に排出することができる。より具体的には、本実施形態にかかる足部１０を構成する単位足部１２は、その内側辺１２ｂが直線状に構成されているため（すなわち、食器１底面１１ａの中心部に対して凹状に湾曲しているわけではないため（凹状に湾曲した形状としては、特許文献２等参照））、どのように食器１を配置しても、足部１０の内側に存在する水は、内側辺１２ｂを沿って流れ出し、空隙部１３を介して、足部１０内部から完全に排出されることとなる。
【００３７】
また、本実施形態においては、足部１０が設けられている本体１１底面１１ａの厚みが、略均一に構成されている。このように本体１１の厚みが略均一に構成されていれば、上述したように、成形、焼成においても、食器１のへこみや歪みが生じにくい。
【００３８】
さらに、本実施形態においては、足部１０が設けられている食器１本体１１の底面１１ａが、外側に向かって凸状に湾曲している。つまり、図１に示すように、食器１を伏せた状態における上方（すなわち、食器１本体１１の底面１１ａ）が、外側（上方）に向かって凸状に構成されている。換言すれば、本実施形態にかかる食器１を構成する食器本体底面１１ａは、特許文献１のように食器内側に凹状に湾曲していない。
【００３９】
したがって、本実施形態によれば、洗浄後の食器１を伏せた状態で置いた場合であっても、上方に位置する底面１１ａに水が残留することはなく、足部１０内部の水は、底面１１ａから内側辺１２ｂを沿って流れ出し、空隙部１３を介して、完全に排出されることとなる。
【００４０】
さて、先にも説明した通り、近年は、自動的に食器の洗浄処理および乾燥処理を行う、いわゆる「食器洗浄乾燥機」が、飲食店のみならず一般の家庭にも普及してきており、この食器洗浄乾燥機においては、水あるいは熱湯があらゆる方向からシャワー状態で噴出されて食器の洗浄が行われ、従来から使用されている食器では、足部の内側に水が残留する。このため、最近の食器洗浄乾燥機においては、乾燥時間を長くするためのメニューが付いているものもある。ところが、このように乾燥時間を長くしても、全ての処理を終了した後に食器を取り出してみると、足部内側に溜まった水がこぼれることがある。特に、食器洗浄乾燥機内に伏せた状態で入れる食器については、この現象が顕著にあらわれる。
【００４１】
しかしながら、図１〜図３に基づき説明した、本実施形態にかかる食器１であれば、上述した種々の特徴を有することから、上記従来技術の問題点を全て解決することができる。すなわち、本実施形態にかかる食器１は、足部１０がそれぞれ独立した複数の単位足部１２を用いて構成され、単位足部１２間には空隙部１３が設けられており、単位足部１２の内側辺１２ｂが、直線状に構成されている。したがって、本実施形態によれば、足部１０を構成する単位足部１２は、その内側辺１２ｂが直線状に構成されているため（すなわち、特許文献２等のように、食器１底面１１ａの中心部に対して凹状に湾曲しているわけではないため）、洗浄後の食器をどのような状態に配置しても（伏せても、横にしても、斜めに立てても、垂直に立てても）、足部１０の内側に存在する水は、内側辺１２ｂを沿って流れ出し、空隙部１３（単位足部１２間）を介して、足部１０内部から完全に排出されることとなる。加えて、足部１０が設けられている食器１本体１１の底面１１ａが外側に向かって凸状に湾曲して構成されているため、食器１を伏せた状態で配置したとしても、足部１０内部の水は空隙部１３を介して完全に排出されることとなる。
【００４２】
また、上述した効果は、食器洗浄乾燥機を用いる場合のみの効果ではなく、手洗いの場合であっても、本実施形態にかかる食器１は、従来の食器と比較してより効果的な乾燥に寄与することができる。
【００４３】
つまり、食器は、手洗いした後に水切りのためにカゴ等に伏せた状態で配置するのが一般的であるが、そのような場合であっても、本実施形態にかかる食器１であれば、上述した同様の作用によって、足部１０内側の水切りを効果的に行うことが可能となる。すなわち、足部１０内側に水が残留することがなくなり（あるいは残留が僅かとなり）、一つ一つの食器の足部１０内部の水を拭き取る作業が不要となり（あるいは簡略化されることとなり）、食器を多量に扱う飲食店等においては、この作業に多くの時間と労力を費やすことがなくなる。
【００４４】
さらに、本実施形態によれば、特許文献３のように、「穴を開ける」等の成形後の加工処理を行うことなく、足部１０からの水切りを良好に行うことが可能な食器１を得ることができる。したがって、特許文献３等と比較して、本実施形態にかかる食器１は、より簡単に低コストで製造することができる。
【００４５】
＜第二実施形態＞
次に、本発明の第二実施形態について説明する。図４は、本発明の第二実施形態にかかる食器を伏せた状態の概略斜視図を示したものである。本実施形態にかかる食器４の基本的な構成要素（特に足部の特徴部分）は、先に説明した第一実施形態と略同様である。そこで、以下においては、第一実施形態と同様の部分についてはその説明を割愛し、主に第二実施形態の特徴部分について説明する。なお、第一実施形態の説明で使用した上面図（図２）および断面図（図３）は、この第二実施形態においては省略する。
【００４６】
図４に示すように、本実施形態にかかる食器４は、本体４１と、この本体４１底面４１ａの外側部に設けられた足部４０とを用いて構成されている。この図４においては、食器４が伏せた状態で置かれた状態が示されているので、図４における食器４の上方位置が、食器４の底面４１ａ外側部である。
【００４７】
本実施形態にかかる食器４は、この図４に示すように、本体４１底面４１ａの外側部に足部４０を備えており、この足部４０は、それぞれ所定の間隔（空隙部４３）を有して独立した複数の単位足部４２を用いて構成されている。本実施形態においては、三つの単位足部４２を用いて足部４０が構成されている。また、これらの各単位足部４２間には、空隙部４３が設けられている。
【００４８】
それぞれの単位足部４２は、図４に示すように、上面部４２ａ、内側辺４２ｂ、外側辺４２ｃ、および下面部４２ｄから成り、本実施形態においては、内側辺４２ｂが直線状に形成され、外側辺４２ｃが本体４１底面４１ａの中心部から外側に凸状に湾曲して形成されている。
【００４９】
また、本実施形態にかかる足部４０は、それぞれの単位足部４２の内側辺４２ｂの延長線によって、足部４０の内側に三角形が形成されるべく構成されている。つまり、足部４０の全体としては、この三角形の各頂点部分が切り離されて空隙部４３が構成され、切り離されたそれぞれの部位によって単位足部４２が構成されている。さらに、各単位足部４２は、それぞれ食器４底面４１ａに接し、空隙部４３は食器４底面４１ａ上方に構成されている。
【００５０】
さらに、本実施形態においては、足部４０が設けられている食器４本体４１の底面４１ａが、外側に向かって凸状に湾曲している。つまり、図４に示すように、食器４を伏せた状態における上方（すなわち、食器４本体４１の底面４１ａ）が、外側（上方）に向かって凸状に構成されている。換言すれば、本実施形態にかかる食器４を構成する食器本体底面４１ａは、特許文献１のように食器内側に凹状に湾曲していない。
【００５１】
さて、本実施形態と第一実施形態との違いは、食器自体の種類（本実施形態は湯飲み等、第一実施形態は碗等）と、この種類の違いに基づく食器の大きさ（径）と、足部の形状（本実施形態は三角形、第一実施形態は四角形）および足部を構成する単位足部の数である。
【００５２】
本実施形態にかかる食器４の径は、第一実施形態にかかる食器１と比べれば小さいものである。したがって、自ずとその底面部分の面積も小さいものとなる。そうすると、仮に同一形状（大きさ）の単位足部を用いて足部を構成するとすれば、足部を構成する単位足部の数は、第一実施形態よりも第二実施形態の方が少なくなるのは当然のことである。本実施形態にかかる食器４は、かかる理由のもと、三つの単位足部４２を用いて足部４０が構成されている。つまり、本実施形態は、比較的小さい食器に対して本発明を適用した状態を示している。
【００５３】
以上のように、構成上、若干の違いはあるものの、本実施形態にかかる食器４も第一実施形態と同様に、足部４０がそれぞれ独立した複数の単位足部４２を用いて構成され、単位足部４２間には空隙部４３が設けられている。加えて、第一実施形態と同様の他の構成も有している（底面４１ａ形状等）。
したがって、本実施形態にかかる食器４は、以上のような構成に基づき、第一実施形態にて説明した作用効果を全て得ることができる。
【００５４】
＜第三実施形態＞
次に、本発明の第三実施形態について説明する。図５は、本発明の第三実施形態にかかる食器を伏せた状態の概略斜視図を示したものである。本実施形態にかかる食器５の基本的な構成要素（特に足部の特徴部分）は、先に説明した第一実施形態と略同様である。そこで、以下においては、第一実施形態と同様の部分についてはその説明を割愛し、主に第三実施形態の特徴部分について説明する。なお、第一実施形態の説明で使用した上面図（図２）および断面図（図３）は、この第三実施形態においては省略する。
【００５５】
図５に示すように、本実施形態にかかる食器５は、本体５１と、この本体５１底面５１ａの外側部に設けられた足部５０とを用いて構成されている。この図５においては、食器５が伏せた状態で置かれた状態が示されているので、図５における食器５の上方位置が、食器５の底面５１ａ外側部である。
【００５６】
本実施形態にかかる食器５は、この図５に示すように、本体５１底面５１ａの外側部に足部５０を備えており、この足部５０は、それぞれ所定の間隔（空隙部５３）を有して独立した複数の単位足部５２を用いて構成されている。本実施形態においては、六つの単位足部５２を用いて足部５０が構成されている。また、これらの各単位足部５２間には、空隙部５３が設けられている。
【００５７】
それぞれの単位足部５２は、図５に示すように、上面部５２ａ、内側辺５２ｂ、外側辺５２ｃ、および下面部５２ｄから成り、本実施形態においては、内側辺５２ｂが直線状に形成され、外側辺５２ｃが本体５１底面５１ａの中心部から外側に凸状に湾曲して形成されている。
【００５８】
また、本実施形態にかかる足部５０は、それぞれの単位足部５２の内側辺５２ｂの延長線によって、足部５０の内側に六角形が形成されるべく構成されている。つまり、足部５０の全体としては、この六角形の各頂点部分が切り離されて空隙部５３が構成され、切り離されたそれぞれの部位によって単位足部５２が構成されている。さらに、各単位足部５２は、それぞれ食器５底面５１ａに接し、空隙部５３は食器５底面５１ａ上方に構成されている。
【００５９】
さらに、本実施形態においては、足部５０が設けられている食器５本体５１の底面５１ａが、平面状あるいは外側に向かって凸状に湾曲して構成されている。つまり、図５に示すように、食器５を伏せた状態における上方（すなわち、食器５本体５１の底面５１ａ）が、平面状かあるいは外側（上方）に向かって凸状に構成されている。換言すれば、本実施形態にかかる食器５を構成する食器本体底面５１ａは、特許文献１のように食器内側に凹状に湾曲していない。
【００６０】
さて、本実施形態と第一実施形態との違いは、食器自体の種類（本実施形態は中程度の平皿等、第一実施形態は碗等）と、この種類の違いに基づく食器の大きさ（径）と、足部の形状（本実施形態は六角形、第一実施形態は四角形）および足部を構成する単位足部の数である。
【００６１】
本実施形態にかかる食器５の径は、第一実施形態にかかる食器１と比べれば大きいものである。したがって、自ずとその底面部分の面積も大きいものとなる。そうすると、仮に同一形状（大きさ）の単位足部を用いて足部を構成するとすれば、足部を構成する単位足部の数は、第一実施形態よりも第三実施形態の方が多くなるのは当然のことである。本実施形態にかかる食器５は、かかる理由のもと、六つの単位足部５２を用いて足部５０が構成されている。つまり、本実施形態は、比較的大きい食器に対して本発明を適用した状態を示している。
【００６２】
以上のように、構成上、若干の違いはあるものの、本実施形態にかかる食器５も第一実施形態等と同様に、足部５０がそれぞれ独立した複数の単位足部５２を用いて構成され、単位足部５２間には空隙部５３が設けられている。加えて、第一実施形態と同様の他の構成も有している（底面５１ａ形状等）。
したがって、本実施形態にかかる食器５は、以上のような構成に基づき、第一実施形態にて説明した作用効果を全て得ることができる。
【００６３】
＜第四実施形態＞
次に、本発明の第四実施形態について説明する。図６は、本発明の第四実施形態にかかる食器を伏せた状態の概略斜視図を示したものである。本実施形態にかかる食器６の基本的な構成要素（特に足部の特徴部分）は、先に説明した第一実施形態と略同様である。そこで、以下においては、第一実施形態と同様の部分についてはその説明を割愛し、主に第四実施形態の特徴部分について説明する。なお、第一実施形態の説明で使用した上面図（図２）および断面図（図３）は、この第四実施形態においては省略する。
【００６４】
図６に示すように、本実施形態にかかる食器６は、本体６１と、この本体６１底面６１ａの外側部に設けられた足部６０とを用いて構成されている。この図６においては、食器６が伏せた状態で置かれた状態が示されているので、図６における食器６の上方位置が、食器６の底面６１ａ外側部である。
【００６５】
本実施形態にかかる食器６は、この図６に示すように、本体６１底面６１ａの外側部に足部６０を備えており、この足部６０は、それぞれ所定の間隔（空隙部６３）を有して独立した複数の単位足部６２を用いて構成されている。本実施形態においては、八つの単位足部６２を用いて足部６０が構成されている。また、これらの各単位足部６２間には、空隙部６３が設けられている。
【００６６】
それぞれの単位足部６２は、図６に示すように、上面部６２ａ、内側辺６２ｂ、外側辺６２ｃ、および下面部６２ｄから成り、本実施形態においては、内側辺６２ｂが直線状に形成され、外側辺６２ｃが本体６１底面６１ａの中心部から外側に凸状に湾曲して形成されている。
【００６７】
また、本実施形態にかかる足部６０は、それぞれの単位足部６２の内側辺６２ｂの延長線によって、足部６０の内側に八角形が形成されるべく構成されている。つまり、足部６０の全体としては、この八角形の各頂点部分が切り離されて空隙部６３が構成され、切り離されたそれぞれの部位によって単位足部６２が構成されている。さらに、各単位足部６２は、それぞれ食器６底面６１ａに接し、空隙部６３は食器６底面６１ａ上方に構成されている。
【００６８】
さらに、本実施形態においては、足部６０が設けられている食器６本体６１の底面６１ａが、平面状に構成されている。つまり、図６に示すように、食器６を伏せた状態における上方（すなわち、食器６本体６１の底面６１ａ）が、平面状に構成されている。換言すれば、本実施形態にかかる食器６を構成する食器本体底面６１ａは、特許文献１のように食器内側に凹状に湾曲していない。
【００６９】
さて、先に説明した第二および第三実施形態と同様に、本実施形態と第一実施形態との違いは、食器自体の種類（本実施形態は比較的大きめの平皿等、第一実施形態は碗等）と、この種類の違いに基づく食器の大きさ（径）と、足部の形状（本実施形態は八角形、第一実施形態は四角形）および足部を構成する単位足部の数である。
【００７０】
本実施形態にかかる食器６の径は、第一実施形態にかかる食器１と比べればかなり大きいものである。したがって、自ずとその底面部分の面積も大きくなる。そうすると、仮に同一形状（大きさ）の単位足部を用いて足部を構成するとすれば、足部を構成する単位足部の数は、第一実施形態よりも本実施形態の方が多くなるのは当然のことである。本実施形態にかかる食器６は、かかる理由のもと、八つの単位足部６２を用いて足部６０が構成されている。つまり、本実施形態は、大きい食器に対して本発明を適用した状態を示している。
【００７１】
以上のように、構成上、若干の違いはあるものの、本実施形態にかかる食器６も第一実施形態等と同様に、足部６０がそれぞれ独立した複数の単位足部６２を用いて構成され、単位足部６２間には空隙部６３が設けられている。加えて、第一実施形態と同様の他の構成も有している（底面６１ａ形状等）。
したがって、本実施形態にかかる食器６は、以上のような構成に基づき、第一実施形態にて説明した作用効果を全て得ることができる。
【００７２】
上述したように、本発明にかかる各実施形態は、足部がそれぞれ独立した複数の単位足部を用いて構成され、単位足部間には空隙部が設けられ、各単位足部の内側辺が直線状に構成されている。したがって、上述した各実施形態に示したように、食器の大きさに関わらず、各単位足部の大きさおよび形状を同一とし、食器の大きさ・形状・種類等に応じて、単位足部の数（換言すれば、多角形を構成する画数）を適宜変更すれば、食器の大きさ・形状・種類等が変わっても、デザイン上の統一を得ることができる。つまり、食器底面に設けられる足部の形状を三角形、四角形、五角形、六角形、七角形、八角形、あるいはそれ以上の多角形に自由に変化させることによって、同一コンセプトの統一したデザインを有する食器セット等を構成することができる。
【００７３】
なお、本発明は、上記各実施形態に限定されるものではなく、必要に応じて、種々の変更を行うことが可能である。
【００７４】
上記各実施形態においては、足部を構成する各単位足部が円周状に配設され、円周状に配設された各単位足部の内側辺にて多角形を構成する場合について説明したが、本発明はこの構成に限定されるものではない。
したがって、例えば、独立した複数（二つ以上）の単位足部を有し、これらの単位足部間に空隙部が設けられており、各単位足部の内側辺が直線状あるいは食器底面の内側（中心側）に向かって凸状に湾曲している構成であれば、その配設位置は、円周状に限定されず、並行配置であっても、またある程度アバウトに配置されていてもよい。
【００７５】
また、円周状に配設された各単位足部の形状も上述した各実施形態のものに限定されず、単位足部の内側辺が、直線状あるいは食器底面の内側（中心側）に向かって凸状に湾曲している（ふくらみを有する）構成であればよい。換言すれば、単位足部の内側辺が、食器底面の内側（中心側）に向かって凹状に湾曲していなければよい。
したがって、本発明にかかる足部を構成する際には、例えば、円形あるいは楕円形等の形状を有する単位足部を用いてもよい。かかる構成であっても、先に説明した各実施形態と同様の効果を得ることができる。また、他の構成としては、それぞれの単位足部の形状を多角形としてもよい。
【図面の簡単な説明】
【００７６】
【図１】本発明の第一実施形態にかかる食器を伏せた状態の概略斜視図を示したものである。
【図２】本発明の第一実施形態にかかる食器を伏せた状態の上面図を示したものである。
【図３】図２のIII−III線に沿う概略断面図を示したものである。
【図４】本発明の第二実施形態にかかる食器を伏せた状態の概略斜視図を示したものである。
【図５】本発明の第三実施形態にかかる食器を伏せた状態の概略斜視図を示したものである。
【図６】本発明の第四実施形態にかかる食器を伏せた状態の概略斜視図を示したものである。
【符号の説明】
【００７７】
１，４，５，６…食器
１０，４０，５０，６０…足部
１１，４１，５１，６１…本体（食器本体）
１２，４２，５２，６２…単位足部
１２ａ，４２ａ，５２ａ，６２ａ…上面部
１２ｂ，４２ｂ，５２ｂ，６２ｂ…内側辺
１２ｃ，４２ｃ，５２ｃ，６２ｃ…外側辺
１２ｄ，４２ｄ，５２ｄ，６２ｄ…下面部
１３，４３，５３，６３…空隙部
【図１】
2006346138.tif 000003
【図２】
2006346138.tif 000004
【図３】
2006346138.tif 000005
【図４】
2006346138.tif 000006
【図５】
2006346138.tif 000007
【図６】
2006346138.tif 000008